(57)【要約】【課題】  チルト駆動時の良好な感度の確保及び薄型化を図る。【解決手段】  対物レンズ駆動装置８の構成要素として、移動ベース７に固定された固定ブロック１０と、該固定ブロックに対してフォーカシング方向、トラッキング方向及びチルト方向へ動作されると共に対物レンズ１９を保持する可動ブロック１１と、固定ブロックと可動ブロックとを連結する支持バネ１３、１３、・・・と、可動ブロックのフォーカシング方向、トラッキング方向又はチルト方向への動作時にそれぞれ通電されるフォーカシングコイル１６、トラッキングコイル１７、１７、・・・及びチルトコイル１８、１８が結合されたコイル体１５と、各コイルとともに磁気回路を構成するマグネット１２、１２とを設け、チルトコイルの少なくとも一部をフォーカシング方向においてフォーカシングコイルと同じ位置に配置した。【選択図】        図３
2005038527.tif 000002
【特許請求の範囲】
【請求項１】
ディスクテーブルに装着されるディスク状記録媒体の半径方向へ移動される移動ベースと該移動ベースに配置された対物レンズ駆動装置とを備えた光ピックアップであって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、
固定ブロックと可動ブロックとを連結する支持バネと、
可動ブロックのフォーカシング方向、トラッキング方向又はチルト方向への動作時にそれぞれ通電されるフォーカシングコイル、トラッキングコイル及びチルトコイルが結合されたコイル体と、
上記各コイルとともに磁気回路を構成するマグネットとを備え、
チルトコイルの少なくとも一部をフォーカシング方向においてフォーカシングコイルと同じ位置に配置した
ことを特徴とする光ピックアップ。
【請求項２】
上記チルトコイルをフォーカシングコイルの内周面に取り付けた
ことを特徴とする請求項１に記載の光ピックアップ。
【請求項３】
上記チルトコイルをフォーカシングコイルの外周面に取り付けた
ことを特徴とする請求項１に記載の光ピックアップ。
【請求項４】
上記コイル体をトラッキング方向に離隔して一対設けた
ことを特徴とする請求項１に記載の光ピックアップ。
【請求項５】
ディスク状記録媒体が装着されるディスクテーブルと該ディスクテーブルに装着されるディスク状記録媒体に対して対物レンズを介してレーザー光を照射する光ピックアップとを備えたディスクドライブ装置であって、
上記光ピックアップは、
ディスクテーブルに装着されるディスク状記録媒体の半径方向へ移動される移動ベースと、
該移動ベースに配置された対物レンズ駆動装置とを備え、
該対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、
固定ブロックと可動ブロックとを連結する支持バネと、
可動ブロックのフォーカシング方向、トラッキング方向又はチルト方向への動作時にそれぞれ通電されるフォーカシングコイル、トラッキングコイル及びチルトコイルが結合されたコイル体と、
上記各コイルとともに磁気回路を構成するマグネットとを備え、
チルトコイルの少なくとも一部をフォーカシング方向においてフォーカシングコイルと同じ位置に配置した
ことを特徴とするディスクドライブ装置。
【請求項６】
上記チルトコイルをフォーカシングコイルの内周面に取り付けた
ことを特徴とする請求項５に記載のディスクドライブ装置。
【請求項７】
上記チルトコイルをフォーカシングコイルの外周面に取り付けた
ことを特徴とする請求項５に記載のディスクドライブ装置。
【請求項８】
上記コイル体をトラッキング方向に離隔して一対設けた
ことを特徴とする請求項５に記載のディスクドライブ装置。
【発明の詳細な説明】
【技術分野】
【０００１】
本発明は光ピックアップ及びディスクドライブ装置に関する。詳しくは、可動ブロックが支持バネを介して固定ブロックに支持された対物レンズ駆動装置を有する光ピックアップ及びこれを備えたディスクドライブ装置についての技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに保持された対物レンズをディスク状記録媒体の記録面に離接する方向であるフォーカシング方向に動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００４】
このように光ピックアップにあっては、対物レンズ駆動装置によってフォーカシング調整及びトラッキング調整を行うのが一般的であるが、近年、レーザー光のスポットの記録トラックに対する追従性の向上等を図るために、フォーカシング調整及びトラッキング調整の２軸方向の調整に加え、可動ブロックをディスク状記録媒体の記録面に対して傾動可能とし、回転中のディスク状記録媒体に面振れ等が生じたときの調整をも可能とした所謂３軸アクチュエーターと称される対物レンズ駆動装置が開発されている。
【０００５】
このような３軸アクチュエーターと称される対物レンズ駆動装置には、例えば、固定ベース（固定ブロック）に回動自在に支持された回動ブロックと該回動ブロックに取り付けられたホルダと該ホルダにワイヤーを介して支持されたボビン（可動ブロック）とを備えたものがある（例えば、特許文献１参照）。ボビンにはフォーカシングコイル及びトラッキングコイルが取り付けられ、回動ブロックにはチルトコイルが取り付けられ、フォーカシングコイル及びトラッキングコイルの下方にチルトコイルが位置されている。フォーカシングコイル及びトラッキングコイルと一対の第１磁石と第１内外ヨークとによって第１の磁気回路が構成され、チルトコイルと一対の第２磁石と第２ヨークとによって第２の磁気回路が構成されている。
【０００６】
フォーカシングコイル又はトラッキングコイルに通電されると、第１の磁気回路において発生する力によって対物レンズが取り付けられたボビンがフォーカシング方向又はトラッキング方向へ動作され、チルトコイルに通電されると、第２の磁気回路において発生する力によって回動ブロックがチルト方向（固定ベースに対する回動方向）へ動作され、この回動ブロックの動作に伴ってボビンがチルト方向へ動作される。
【０００７】
【特許文献１】特開２０００―１１４１４号公報
【発明の開示】
【発明が解決しようとする課題】
【０００８】
ところが、上記した従来の光ピックアップの対物レンズ駆動装置にあっては、ボビンにそれぞれフォーカシングコイルとトラッキングコイルが設けられ、回動ブロックにチルトコイルが設けられ、２つの磁気回路が各別に構成されているため、部品点数が多く製造コストが高いという問題がある。
【０００９】
そこで、部品点数を低減した構成として以下のような対物レンズ駆動装置がある。
【００１０】
この対物レンズ駆動装置は、固定ブロックと該固定ブロックに支持バネを介してフォーカシング方向、トラッキング方向及びチルト方向へ変位可能に支持された可動ブロックとを備え、該可動ブロックにフォーカシングコイル、トラッキングコイル及びチルトコイルが結合されたコイル体が設けられ、該コイル体を挟んだ互いに反対側の位置に一対の対向するマグネットが配置されている（図１１及び図１２参照）。
【００１１】
コイル体ａは、例えば、横長の略角筒状に形成されたフォーカシングコイルｂと、該フォーカシングコイルｂの外周面に前後左右に離隔して取り付けられたトラッキングコイルｃ、ｃ、・・・と、フォーカシングコイルｂの下面に左右に離隔して取り付けられたチルトコイルｄ、ｄとから成り、対物レンズを有する可動ブロックの一部として設けられている。コイル体ａは図示しないヨークの内面にそれぞれ取り付けられた一対のマグネットｅ、ｅに挟まれるようにして位置されている（図１２参照）。
【００１２】
このような対物レンズ駆動装置においては、フォーカシングコイルｂ、トラッキングコイルｃ、ｃ、・・・及びチルトコイルｄ、ｄが結合されてコイル体ａとして設けられている他、磁気回路もコイル体ａに対応して１つで済むため、部品点数が大幅に削減されている。
【００１３】
しかしながら、このような従来の対物レンズ駆動装置にあっては、チルトコイルｄ、ｄがフォーカシングコイルａの下面に取り付けられているため、コイル体ａの上方に重量の大きな対物レンズが位置されている関係上、可動ブロックの良好なバランスを確保できる等の利点があるものの、チルト駆動時の感度の変化率が大きいという問題がある。
【００１４】
即ち、図１３に示すように、コイル体ａを挟んで互いに反対側に位置されたマグネットｅ、ｅの磁束密度は該マグネットｅ、ｅの中央部においては高く、中央部から一定距離離隔した位置からは急激に低くなり、チルトコイルｄ、ｄがフォーカシングコイルａの下面に取り付けられていると、通常、フォーカシング動作時の感度を重視してフォーカシングコイルａの位置が磁束密度の高い部分に対応する位置となるように設定されているため、磁束密度が急激に低下し始める位置又は磁束密度が低下した位置に対応してチルトコイルｄ、ｄが位置される可能性が高い。
【００１５】
従って、このような位置にチルトコイルｄ、ｄが位置されてしまうと、特に、可動ブロックがフォーカシング方向（下方）へ動作されたときに、チルト駆動時の著しい感度の低下が生じてしまい、チルト駆動時における動作の信頼性の低下を来たしてしまう。
【００１６】
また、チルトコイルｄ、ｄがフォーカシングコイルａの下面に取り付けられていると、その分、コイル体ａの厚みが厚くなり、対物レンズ駆動装置の薄型化を阻害するという問題もある。
【００１７】
このようなチルト駆動時の感度の低下及び薄型化の阻害の問題は、チルトコイルｄ、ｄをフォーカシングコイルａの上面に取り付けた場合にも同様に生じる。
【００１８】
また、上記した回動ブロック及び２つの磁気回路を有する対物レンズ駆動装置にあっては、チルトコイルがフォーカシングコイルから離隔して下方に位置されるため、チルト駆動時の感度の低下は、より著しく、また、対物レンズ駆動装置全体の厚みもより厚くなってしまう。
【００１９】
そこで、本発明光ピックアップ及びディスクドライブ装置は、上記した問題点を克服し、チルト駆動時の良好な感度の確保及び薄型化を図ることを課題とする。
【課題を解決するための手段】
【００２０】
本発明対物レンズ駆動装置及びディスクドライブ装置は、上記した課題を解決するために、対物レンズ駆動装置の構成要素として、移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向、トラッキング方向又はチルト方向への動作時にそれぞれ通電されるフォーカシングコイル、トラッキングコイル及びチルトコイルが結合されたコイル体と、上記各コイルとともに磁気回路を構成するマグネットとを設け、チルトコイルの少なくとも一部をフォーカシング方向においてフォーカシングコイルと同じ位置に配置したものである。
【００２１】
従って、本発明対物レンズ駆動装置及びディスクドライブ装置にあっては、チルトコイルがマグネットの磁束密度の高い部分に対応して位置される。
【発明の効果】
【００２２】
本発明光ピックアップは、ディスクテーブルに装着されるディスク状記録媒体の半径方向へ移動される移動ベースと該移動ベースに配置された対物レンズ駆動装置とを備えた光ピックアップであって、上記対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向、トラッキング方向又はチルト方向への動作時にそれぞれ通電されるフォーカシングコイル、トラッキングコイル及びチルトコイルが結合されたコイル体と、上記各コイルとともに磁気回路を構成するマグネットとを備え、チルトコイルの少なくとも一部をフォーカシング方向においてフォーカシングコイルと同じ位置に配置したことを特徴とする。
【００２３】
従って、チルトコイルの少なくとも一部がマグネットの磁束密度が高い位置に対応して位置され、特に、可動ブロックがフォーカシング方向へ動作された状態においても、チルト駆動時の感度の低下を来たさず、チルト駆動時における動作の信頼性の向上を図ることができる。
【００２４】
また、チルトコイルの少なくとも一部がフォーカシング方向においてフォーカシングコイルと同じ位置に配置されているため、その分、コイル体の厚みが薄くなり、光ピックアップの薄型化を図ることができる。
【００２５】
請求項２に記載した発明にあっては、上記チルトコイルをフォーカシングコイルの内周面に取り付けたので、フォーカシングコイルをマグネットに接近して位置させることができ、フォーカシング駆動時の感度の向上を図ることができる。
【００２６】
請求項３に記載した発明にあっては、上記チルトコイルをフォーカシングコイルの外周面に取り付けたので、チルトコイルをマグネットに接近して位置させることができ、チルト駆動時の感度の向上を図ることができる。
【００２７】
また、順に、チルトコイルをフォーカシングコイルの外周面に取り付け、トラッキングコイルをチルトコイル又はフォーカシングコイルの外周面に取り付けれることによりコイル体を組み立てることが可能であり、コイル体の組立作業が容易であり、作業性の向上を図ることができる。
【００２８】
請求項４に記載した発明にあっては、上記コイル体をトラッキング方向に離隔して一対設けたので、一対のコイル体間に形成された空間に立ち上げミラーを配置することにより、レーザー光の光路を可動ブロックに近付けることができ、光ピックアップの薄型化を図ることができる。
【００２９】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備えたディスクドライブ装置であって、上記光ピックアップは、ディスクテーブルに装着されるディスク状記録媒体の半径方向へ移動される移動ベースと、該移動ベースに配置された対物レンズ駆動装置とを備え、該対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向、トラッキング方向又はチルト方向への動作時にそれぞれ通電されるフォーカシングコイル、トラッキングコイル及びチルトコイルが結合されたコイル体と、上記各コイルとともに磁気回路を構成するマグネットとを備え、チルトコイルの少なくとも一部をフォーカシング方向においてフォーカシングコイルと同じ位置に配置したことを特徴とする。
【００３０】
従って、チルトコイルの少なくとも一部がマグネットの磁束密度が高い位置に対応して位置され、特に、可動ブロックがフォーカシング方向へ動作された状態においても、チルト駆動時の感度の低下を来たさず、チルト駆動時における動作の信頼性の向上を図ることができる。
【００３１】
また、チルトコイルの少なくとも一部がフォーカシング方向においてフォーカシングコイルと同じ位置に配置されているため、その分、コイル体の厚みが薄くなり、ディスクドライブ装置の薄型化を図ることができる。
【００３２】
請求項６に記載した発明にあっては、上記チルトコイルをフォーカシングコイルの内周面に取り付けたので、フォーカシングコイルをマグネットに接近して位置させることができ、フォーカシング駆動時の感度の向上を図ることができる。
【００３３】
請求項７に記載した発明にあっては、上記チルトコイルをフォーカシングコイルの外周面に取り付けたので、チルトコイルをマグネットに接近して位置させることができ、チルト駆動時の感度の向上を図ることができる。
【００３４】
また、順に、チルトコイルをフォーカシングコイルの外周面に取り付け、トラッキングコイルをチルトコイル又はフォーカシングコイルの外周面に取り付けれることによりコイル体を組み立てることが可能であり、コイル体の組立作業が容易であり、作業性の向上を図ることができる。
【００３５】
請求項８に記載した発明にあっては、上記コイル体をトラッキング方向に離隔して一対設けたので、一対のコイル体間に形成された空間に立ち上げミラーを配置することにより、レーザー光の光路を可動ブロックに近付けることができ、ディスクドライブ装置の薄型化を図ることができる。
【発明を実施するための最良の形態】
【００３６】
以下に、本発明光ピックアップ及びディスクドライブ装置の最良の形態を添付図面に従って説明する。
【００３７】
ディスクドライブ装置１は、外筐２内に所要の各部材及び各機構が配置されて成り（図１参照）、外筐２には図示しないディスク挿入口が形成されている。
【００３８】
外筐２内には図示しないシャーシが配置され、該シャーシに取り付けられたスピンドルモーターのモーター軸にディスクテーブル３が固定されている。
【００３９】
シャーシには、平行なガイド軸４、４が取り付けられると共に図示しない送りモーターによって回転されるリードスクリュー５が支持されている。
【００４０】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている（図１参照）。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００４１】
対物レンズ駆動装置８はベース部材９と固定ブロック１０と該固定ブロック１０に対して動作される可動ブロック１１とを有している（図２参照）。
【００４２】
ベース部材９は磁性金属材料によって各部が一体に形成され、移動ベース７上に取り付けられたベース部９ａと、該ベース部９ａの前後両端部からそれぞれ直角に立ち曲げられたヨーク部９ｂ、９ｂとから成る。ヨーク部９ｂ、９ｂの互いに対向する面には、それぞれマグネット１２、１２が取り付けられている。
【００４３】
固定ブロック１０は移動ベース７上に固定され、上下に離隔して左右に３つずつのバネ取付部１０ａ、１０ａ、・・・を有している。固定ブロック１０には図示しない回路基板が取り付けられている。
【００４４】
固定ブロック１０のバネ取付部１０ａ、１０ａ、・・・にはそれぞれ左右に３本ずつの支持バネ１３、１３、・・・の各一端部が取り付けられ、該支持バネ１３、１３、・・・の各一端部が固定ブロック１０に取り付けられた回路基板に接続されている。支持バネ１３、１３、・・・には、図示しない電源から回路基板を介して駆動電流が供給される。
【００４５】
可動ブロック１１はボビン１４を有し、該ボビン１４にコイル体１５が取り付けられている。
【００４６】
コイル体１５はフォーカシングコイル１６とトラッキングコイル１７、１７、・・・とチルトコイル１８、１８とが結合されて成る（図３乃至図５参照）。
【００４７】
フォーカシングコイル１６は軸方向が上下となるような横長の略角筒状に形成されている。トラッキングコイル１７、１７、・・・は軸方向が前後方向となるような厚みの薄い環状に形成され、フォーカシングコイル１６の外周面に前後左右に離隔して取り付けられている。チルトコイル１８、１８は軸方向が上下方向となるように略角筒状に形成され、フォーカシングコイル１６の内部において左右に離隔して配置されている。従って、チルトコイル１８、１８はフォーカシングコイル１６の内周面に取り付けられている。
【００４８】
ボビン１４の上端部には対物レンズ１９が取り付けられて保持されている（図２参照）。
【００４９】
ボビン１４の左右両側面部にはそれぞれ支持基板２０、２０が取り付けられ、該支持基板２０、２０にそれぞれ支持バネ１３、１３、・・・の他端部が取り付けられている。従って、可動ブロック１１は支持バネ１３、１３、・・・によって固定ブロック１０と連結され、中空に保持されてベース部材９のヨーク部９ｂ、９ｂに取り付けられたマグネット１２、１２間に位置される。このときフォーカシング方向（上下方向）における可動ブロック１１の中立位置、即ち、フォーカシング動作が行われていない状態における位置においては、フォーカシングコイル１６がマグネット１２、１２の上下方向における中央部に対応して位置され、このマグネット１２、１２の中央部は磁束密度が最も高い部部分である（図５参照）。従って、チルトコイル１８、１８はフォーカシング方向においてフォーカシングコイル１６と同じ位置に位置され、チルトコイル１８、１８もフォーカシングコイル１６と同様に、マグネット１２、１２の最も磁束密度の高い中央部に対応して位置される。
【００５０】
フォーカシングコイル１６、トラッキングコイル１７、１７、・・・及びチルトコイル１８、１８には、それぞれ固定ブロック１０に取り付けられた回路基板、支持バネ１３、１３、・・・及び支持基板２０、２０を介して電源から駆動電流が供給される。
【００５１】
フォーカシングコイル１６に駆動電流が供給されると、該フォーカシングコイル１６に流れる駆動電流の向きに応じて所定の方向への推力が発生し、可動ブロック１１が固定ブロック１０に対して図２及び図５に示すＦ―Ｆ方向、即ち、上記ディスクテーブル３に装着されるディスク状記録媒体１００の記録面に離接する方向であるフォーカシング方向へ動作される。
【００５２】
トラッキングコイル１７、１７、・・・に駆動電流が供給されると、該トラッキングコイル１７、１７、・・・に流れる駆動電流の向きに応じて所定の方向への推力が発生し、可動ブロック１１が固定ブロック１０に対して図２及び図５に示すＴ―Ｔ方向、即ち、上記ディスクテーブル３に装着されるディスク状記録媒体１００の略半径方向であるトラッキング方向へ動作される。
【００５３】
チルトコイル１８、１８に駆動電流が供給されると、該チルトコイル１８、１８に流れる駆動電流の向きに応じて所定の方向への推力が発生し、可動ブロック１１が固定ブロック１０に対して図２及び図５に示すＲ―Ｒ方向、即ち、フォーカシング方向及びトラッキング方向にともに直交する軸の軸回り方向であるチルト方向へ動作される。
【００５４】
可動ブロック１１がフォーカシング方向、トラッキング方向又はチルト方向へ動作されるときには、支持バネ１３、１３、・・・が弾性変形される。
【００５５】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。
【００５６】
この記録動作及び再生動作において、フォーカシングコイル１６に駆動電流が供給されると、上記したように、対物レンズ駆動装置８の可動ブロック１１が固定ブロック１０に対して図２及び図５に示すフォーカシング方向Ｆ―Ｆへ動作され、移動ベース７に設けられた図示しない半導体レーザーから出射され対物レンズ１９を介して照射されるレーザー光のスポットがディスク状記録媒体１００の記録トラック上に集光するようにフォーカシング調整が為される。また、トラッキングコイル１７、１７、・・・に駆動電流が供給されると、上記したように、対物レンズ駆動装置８の可動ブロック１１が固定ブロック１０に対して図２及び図５に示すトラッキング方向Ｔ―Ｔへ動作され、半導体レーザーから出射され対物レンズ１９を介して照射されるレーザー光のスポットがディスク状記録媒体１００の記録トラック上に集光するようにトラッキング調整が為される。
【００５７】
ディスク状記録媒体１００に対する記録動作及び再生動作においては、上記したフォーカシング調整及びトラッキング調整に加え、同時に、チルト調整も行われる。このチルト調整は、例えば、回転中のディスク状記録媒体１００に面振れ等が生じたときに、上記したように、ディスク状記録媒体１００に追従するように可動ブロック１１が図２及び図５に示すチルト方向Ｒ―Ｒへ回動動作されることにより行われる。
【００５８】
以上に記載した通り、ディスクドライブ装置１にあっては、チルトコイル１８、１８がフォーカシング方向においてフォーカシングコイル１６と同じ位置に配置されているため、チルトコイル１８、１８がマグネット１２、１２の磁束密度が高い位置に対応して位置され、特に、可動ブロック１１がフォーカシング方向へ動作された状態においても、チルト駆動時の感度の低下を来たさず、チルト駆動時における動作の信頼性の向上を図ることができる。
【００５９】
また、チルトコイル１８、１８がフォーカシング方向においてフォーカシングコイル１６と同じ位置に配置されているため、その分、コイル体１５の厚みが薄くなり、光ピックアップ６の薄型化を図ることができる。
【００６０】
尚、上記には、チルトコイル１８、１８の全体がフォーカシング方向においてフォーカシングコイル１６と同じ位置に配置されている例を示したが、例えば、チルトコイル１８、１８の一部をフォーカシング方向においてフォーカシングコイル１６と同じ位置に位置させ、チルトコイル１８、１８の他の一部をフォーカシングコイル１６の上面から上方又は下面から下方へ突出するようにコイル体１５を形成することも可能である。
【００６１】
また、ディスクドライブ装置１にあっては、チルトコイル１８、１８がフォーカシングコイル１６の内周面に取り付けられているため、フォーカシングコイル１６をマグネット１２、１２に接近して位置させることができ、フォーカシング駆動時の感度の向上を図ることができる。
【００６２】
次に、コイル体の第１の変形例について説明する（図６及び図７参照）。尚、以下に示す第１の変形例に係るコイル体１５Ａは、上記したコイル体１５と比較して、チルトコイルがフォーカシングコイルの外周面に取り付けられ、トラッキングコイルがチルトコイル及びフォーカシングコイルの外周面に取り付けられていることのみが相違するため、上記コイル体１５と比較して異なる部分についてのみ詳細に説明をし、その他の部分についてはコイル体１５における同様の部分に付した符号と同じ符号を付して説明は省略する。
【００６３】
コイル体１５Ａはフォーカシングコイル１６とトラッキングコイル１７、１７、・・・とチルトコイル１８、１８とが結合されて成る。チルトコイル１８、１８はフォーカシングコイル１６の外周面の左右両側面に取り付けられている。トラッキングコイル１７、１７、・・・はチルトコイル１８、１８の外周面の前面及び後面とフォーカシングコイル１６の左右両端部とに跨った位置に取り付けられている。
【００６４】
コイル体１５Ａにあっては、チルトコイル１８、１８がフォーカシングコイル１６の外側に位置されるため、チルト駆動時の感度の向上を図ることができる。
【００６５】
また、順に、チルトコイル１８、１８をフォーカシングコイル１６の外周面に取り付け、トラッキングコイル１７、１７、・・・をチルトコイル１８、１８及びフォーカシングコイル１６の外周面に取り付ければよいため、コイル体１５Ａの組立作業が容易であり、作業性の向上を図ることができる。
【００６６】
次いで、コイル体の第２の変形例について説明する（図８乃至図１０参照）。尚、以下に示す第２の変形例に係るコイル体１５Ｂは、上記したコイル体１５と比較して、フォーカシングコイルが一対設けられていることのみが相違するため、上記コイル体１５と比較して異なる部分についてのみ詳細に説明をし、その他の部分についてはコイル体１５における同様の部分に付した符号と同じ符号を付して説明は省略する。
【００６７】
コイル体１５Ｂは一対のフォーカシングコイル１６Ｂ、１６Ｂを有し、該フォーカシングコイル１６Ｂ、１６Ｂにそれぞれトラッキングコイル１７、１７、・・・とチルトコイル１８、１８とが結合されて成る。フォーカシングコイル１６Ｂ、１６Ｂは左右に離隔して配置され、マグネット１２、１２の左右両端部に対応して位置されている。チルトコイル１８、１８はそれぞれフォーカシングコイル１６Ｂ、１６Ｂの内周面に取り付けられている。トラッキングコイル１７、１７、・・・はフォーカシングコイル１６Ｂ、１６Ｂの外周面の前後両面にそれぞれ取り付けられている。
【００６８】
コイル体１５Ｂにあっては、フォーカシングコイル１６Ｂ、１６Ｂが左右に離隔して配置されているため、例えば、図９に示すように、レーザー光の光路側に存在する一方のヨーク部９ｂを切り欠いて光通過路９ｃを形成し、フォーカシングコイル１６Ｂ、１６Ｂ間に形成された空間に立ち上げミラー２１を配置することにより、レーザー光の光路を上方側へ移動して可動ブロック１１に近付けることができ、光ピックアップ６の薄型化を図ることができる。
【００６９】
尚、コイル体１５Ｂにあっては、チルトコイル１８、１８がそれぞれフォーカシングコイル１６Ｂ、１６Ｂの内部に配置されているが、逆に、フォーカシングコイル１６Ｂ、１６Ｂがそれぞれチルトコイル１８、１８の内部に配置される構成とすることもできる。この場合には、トラッキングコイル１７、１７、・・・はチルトコイル１８、１８の外周面に取り付けられる。
【００７０】
上記には、フォーカシング方向を上下方向、トラッキング方向を左右方向として説明したが、これらの方向は説明の便宜上、例として示したものであり、特にこれらの方向に限定されることはない。
【００７１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７２】
【図１】図２乃至図１０と共に本発明を実施するための最良の形態を示すものであり、本図はディスクドライブ装置の概略平面図である。
【図２】対物レンズ駆動装置の拡大斜視図である。
【図３】コイル体の拡大斜視図である。
【図４】コイル体とマグネットの位置関係を示す拡大平面図である。
【図５】コイル体の位置とマグネットの磁束密度との関係を示す概念図である。
【図６】図７と共にコイル体の第１の変形例を示すものであり、本図はコイル体とマグネットの位置関係を示す拡大平面図である。
【図７】一部を断面にしてマグネットとともに示すコイル体の拡大正面図である。
【図８】図９及び図１０と共にコイル体の第２の変形例を示すものであり、本図はコイル体とマグネットの位置関係を示す拡大平面図である。
【図９】コイル体を用いた対物レンズ駆動装置の一部を示す概念図である。
【図１０】フォーカシングコイルとチルトコイルの位置が反対にされたコイル体をマグネットともに示す拡大平面図である。
【図１１】従来の光ピックアップに設けられたコイル体を示す拡大斜視図である。
【図１２】従来のコイル体とマグネットの位置関係を示す拡大平面図である。
【図１３】従来のコイル体の位置とマグネットの磁束密度との関係を示す概念図である。
【符号の説明】
【００７３】
１００…ディスク状記録媒体、１…ディスクドライブ装置、３…ディスクテーブル、６…光ピックアップ、７…移動ベース、８…対物レンズ駆動装置、１０…固定ブロック、１１…可動ブロック、１２…マグネット、１３…支持バネ、１５…コイル体、１６…フォーカシングコイル、１７…トラッキングコイル、１８…チルトコイル、１９…対物レンズ、１５Ａ…コイル体、１５Ｂ…コイル体、１６Ｂ…フォーカシングコイル
【図１】
2005038527.tif 000003
【図２】
2005038527.tif 000004
【図３】
2005038527.tif 000005
【図４】
2005038527.tif 000006
【図５】
2005038527.tif 000007
【図６】
2005038527.tif 000008
【図７】
2005038527.tif 000009
【図８】
2005038527.tif 000010
【図９】
2005038527.tif 000011
【図１０】
2005038527.tif 000012
【図１１】
2005038527.tif 000013
【図１２】
2005038527.tif 000014
【図１３】
2005038527.tif 000015
【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
ディスクテーブルに装着されるディスク状記録媒体の半径方向へ移動される移動ベースと該移動ベースに配置された対物レンズ駆動装置とを備えた光ピックアップであって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、
固定ブロックと可動ブロックとを連結する支持バネと、
可動ブロックのフォーカシング方向、トラッキング方向又はチルト方向への動作時にそれぞれ通電されるフォーカシングコイル、トラッキングコイル及びチルトコイルが結合されたコイル体と、
上記各コイルとともに磁気回路を構成するマグネットとを備え、
チルトコイルの少なくとも一部がフォーカシング方向においてフォーカシングコイルと重複する位置に配置された
ことを特徴とする光ピックアップ。
【請求項２】
上記チルトコイルをフォーカシングコイルの内周面に取り付けた
ことを特徴とする請求項１に記載の光ピックアップ。
【請求項３】
上記チルトコイルをフォーカシングコイルの外周面に取り付けた
ことを特徴とする請求項１に記載の光ピックアップ。
【請求項４】
上記コイル体をトラッキング方向に離隔して一対設けた
ことを特徴とする請求項１に記載の光ピックアップ。
【請求項５】
ディスク状記録媒体が装着されるディスクテーブルと該ディスクテーブルに装着されるディスク状記録媒体に対して対物レンズを介してレーザー光を照射する光ピックアップとを備えたディスクドライブ装置であって、
上記光ピックアップは、
ディスクテーブルに装着されるディスク状記録媒体の半径方向へ移動される移動ベースと、
該移動ベースに配置された対物レンズ駆動装置とを備え、
該対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、
固定ブロックと可動ブロックとを連結する支持バネと、
可動ブロックのフォーカシング方向、トラッキング方向又はチルト方向への動作時にそれぞれ通電されるフォーカシングコイル、トラッキングコイル及びチルトコイルが結合されたコイル体と、
上記各コイルとともに磁気回路を構成するマグネットとを備え、
チルトコイルの少なくとも一部がフォーカシング方向においてフォーカシングコイルと重複する位置に配置された
ことを特徴とするディスクドライブ装置。
【請求項６】
上記チルトコイルをフォーカシングコイルの内周面に取り付けた
ことを特徴とする請求項５に記載のディスクドライブ装置。
【請求項７】
上記チルトコイルをフォーカシングコイルの外周面に取り付けた
ことを特徴とする請求項５に記載のディスクドライブ装置。
【請求項８】
上記コイル体をトラッキング方向に離隔して一対設けた
ことを特徴とする請求項５に記載のディスクドライブ装置。
【手続補正２】
【補正対象書類名】明細書
【補正対象項目名】００１３
【補正方法】変更
【補正の内容】
【００１３】
しかしながら、このような従来の対物レンズ駆動装置にあっては、チルトコイルｄ、ｄがフォーカシングコイルｂの下面に取り付けられているため、コイル体ａの上方に重量の大きな対物レンズが位置されている関係上、可動ブロックの良好なバランスを確保できる等の利点があるものの、チルト駆動時の感度の変化率が大きいという問題がある。
【手続補正３】
【補正対象書類名】明細書
【補正対象項目名】００１４
【補正方法】変更
【補正の内容】
【００１４】
即ち、図１３に示すように、コイル体ａを挟んで互いに反対側に位置されたマグネットｅ、ｅの磁束密度は該マグネットｅ、ｅの中央部においては高く、中央部から一定距離離隔した位置からは急激に低くなり、チルトコイルｄ、ｄがフォーカシングコイルｂの下面に取り付けられていると、通常、フォーカシング動作時の感度を重視してフォーカシングコイルｂの位置が磁束密度の高い部分に対応する位置となるように設定されているため、磁束密度が急激に低下し始める位置又は磁束密度が低下した位置に対応してチルトコイルｄ、ｄが位置される可能性が高い。
【手続補正４】
【補正対象書類名】明細書
【補正対象項目名】００１６
【補正方法】変更
【補正の内容】
【００１６】
また、チルトコイルｄ、ｄがフォーカシングコイルｂの下面に取り付けられていると、その分、コイル体ａの厚みが厚くなり、対物レンズ駆動装置の薄型化を阻害するという問題もある。
【手続補正５】
【補正対象書類名】明細書
【補正対象項目名】００１７
【補正方法】変更
【補正の内容】
【００１７】
このようなチルト駆動時の感度の低下及び薄型化の阻害の問題は、チルトコイルｄ、ｄをフォーカシングコイルｂの上面に取り付けた場合にも同様に生じる。
【手続補正６】
【補正対象書類名】明細書
【補正対象項目名】００２０
【補正方法】変更
【補正の内容】
【００２０】
本発明光ピックアップ及びディスクドライブ装置は、上記した課題を解決するために、対物レンズ駆動装置の構成要素として、移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向、トラッキング方向又はチルト方向への動作時にそれぞれ通電されるフォーカシングコイル、トラッキングコイル及びチルトコイルが結合されたコイル体と、上記各コイルとともに磁気回路を構成するマグネットとを設け、チルトコイルの少なくとも一部がフォーカシング方向においてフォーカシングコイルと重複する位置に配置されたものである。
【手続補正７】
【補正対象書類名】明細書
【補正対象項目名】００２１
【補正方法】変更
【補正の内容】
【００２１】
従って、本発明光ピックアップ及びディスクドライブ装置にあっては、チルトコイルがマグネットの磁束密度の高い部分に対応して位置される。
【手続補正８】
【補正対象書類名】明細書
【補正対象項目名】００２２
【補正方法】変更
【補正の内容】
【００２２】
本発明光ピックアップは、ディスクテーブルに装着されるディスク状記録媒体の半径方向へ移動される移動ベースと該移動ベースに配置された対物レンズ駆動装置とを備えた光ピックアップであって、上記対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向、トラッキング方向又はチルト方向への動作時にそれぞれ通電されるフォーカシングコイル、トラッキングコイル及びチルトコイルが結合されたコイル体と、上記各コイルとともに磁気回路を構成するマグネットとを備え、チルトコイルの少なくとも一部がフォーカシング方向においてフォーカシングコイルと重複する位置に配置されたことを特徴とする。
【手続補正９】
【補正対象書類名】明細書
【補正対象項目名】００２４
【補正方法】変更
【補正の内容】
【００２４】
また、チルトコイルの少なくとも一部がフォーカシング方向においてフォーカシングコイルと重複する位置に配置されているため、その分、コイル体の厚みが薄くなり、光ピックアップの薄型化を図ることができる。
【手続補正１０】
【補正対象書類名】明細書
【補正対象項目名】００２９
【補正方法】変更
【補正の内容】
【００２９】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備えたディスクドライブ装置であって、上記光ピックアップは、ディスクテーブルに装着されるディスク状記録媒体の半径方向へ移動される移動ベースと、該移動ベースに配置された対物レンズ駆動装置とを備え、該対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向、トラッキング方向又はチルト方向への動作時にそれぞれ通電されるフォーカシングコイル、トラッキングコイル及びチルトコイルが結合されたコイル体と、上記各コイルとともに磁気回路を構成するマグネットとを備え、チルトコイルの少なくとも一部がフォーカシング方向においてフォーカシングコイルと重複する位置に配置されたことを特徴とする。
【手続補正１１】
【補正対象書類名】明細書
【補正対象項目名】００３１
【補正方法】変更
【補正の内容】
【００３１】
また、チルトコイルの少なくとも一部がフォーカシング方向においてフォーカシングコイルと重複する位置に配置されているため、その分、コイル体の厚みが薄くなり、ディスクドライブ装置の薄型化を図ることができる。